(57)【要約】【課題】使用環境に応じた調光制御を行うことが可能な照明装置を提供する。【解決手段】光源１の光出力を制御して光源１を点灯可能な点灯回路部２と、光源１からの光が照射される被照射面側の照度を検出する照度検出部３と、照度検出部３が検出する照度の値と照度検出部３により検出される照度の目標値との差が小さくなるように点灯回路部２を制御して光源１の光出力を自動的に調光制御する調光制御部４とを備えた照明装置１０であり、調光制御部４は、所定の制御信号Ｓに基づいて、調光制御における調光速度を変更する。【選択図】図１
2013232304.tif 000002
【特許請求の範囲】
【請求項１】
光源の光出力を制御して前記光源を点灯可能な点灯回路部と、前記光源からの光が照射される被照射面側の照度を検出する照度検出部と、該照度検出部が検出する照度の値と前記照度検出部により検出される照度の目標値との差が小さくなるように前記点灯回路部を制御して前記光源の光出力を自動的に調光制御する調光制御部とを備えた照明装置であって、
前記調光制御部は、所定の制御信号に基づいて、前記調光制御における調光速度を変更することを特徴とする照明装置。
【請求項２】
前記目標値は、前記光源を所定の光出力に設定する調光レベルにおける前記光源からの光だけの照度の照度基準値であり、前記調光制御部は、前記調光レベルと該調光レベルに対応する前記照度基準値とを記憶する記憶部から前記目標値を取り込むことを特徴とする照明装置。
【請求項３】
前記調光制御部は、前記調光制御が前記光源の光出力を段階的に変化させるものであり、前記光源の光出力を段階的に変化させる時間間隔を変更させることにより前記調光速度を変更することを特徴とする請求項１または請求項２に記載の照明装置。
【請求項４】
前記調光制御部は、前記調光制御が前記光源の光出力を段階的に変化させるものであり、前記光源の光出力を段階的に変化させる前記光源の光出力値を変更させることにより前記調光速度を変更することを特徴とする請求項１または請求項２に記載の照明装置。
【発明の詳細な説明】
【技術分野】
【０００１】
本発明は、光源を調光制御可能な照明装置に関する。
【背景技術】
【０００２】
従来から、オフィスや住宅の居室などに設置される照明装置には、日中の自然光を利用し、自然光の明るさに応じて自動的に照明装置の光源の明るさを調節して床面や机上面など被照射面側の照度を自動的に一定に保つものがある。
【０００３】
この種の照明装置として、図７に示すように、明るさセンサ１０３による検知値に基づき、照明対象の明るさが予め設定された設定値と一致するように、ＬＥＤ照明器具１０２を調光制御する照明システム１０１が知られている（たとえば、特許文献１を参照）。
【０００４】
特許文献１の照明システム１０１では、ＬＥＤ照明器具１０２が、ＬＥＤ１２１と、交流電源１０５からＬＥＤ１２１に供給される電流を制御する電流制御部１２２とを備えている。電流制御部１２２は、制御部１０４から送出される制御信号（Ａ点の信号）に基づいてＬＥＤ１２１へ供給する電流を制御している。すなわち、制御部１０４がＬＥＤ１２１に供給される電流を制御して、ＬＥＤ照明器具１０２を調光制御している。また、照明システム１０１は、制御部１０４に明るさ記憶部１４１を有している。明るさ記憶部１４１は、外光が無い状態で明るさを設定値とするのに必要な矩形波信号のデューティ比を記憶している。また、明るさ記憶部１４１は、外光が無い状態で明るさが設定値となったときの明るさセンサ１０３のセンサ電圧値にそのときの矩形波信号のデューティ比を乗じて得た値である明るさの基準値を記憶している。
【０００５】
特許文献１の照明システム１０１では、制御部１０４がＬＥＤ１２１に供給される電流の振幅を略一定に保った状態で電流をオン／オフして矩形波信号とし矩形波の点灯電圧をＬＥＤ１２１に印加している。照明システム１０１は、制御部１０４が設定値に応じて矩形波信号のデューティ比を制御し、点灯電圧がオンであるときに明るさセンサ１０３による検知を行っている。また、照明システム１０１は、制御部１０４が明るさセンサ１０３の検知値に、検知を行うときのデューティ比を乗じて現在の明るさとし、その明るさと明るさの基準値とを比較して矩形波信号のデューティ比をフィードバック制御している。
【０００６】
これにより特許文献１の照明システム１０１では、明るさセンサ１０３の検知時間がＬＥＤ１２１の光出力の周期よりも短い場合であっても、正確、かつ迅速に明るさを検知し、ＬＥＤ照明器具１０２のフィードバック制御を高精度かつ迅速に行える、としている。
【先行技術文献】
【特許文献】
【０００７】
【特許文献１】特開２０１０−１０３０２０号公報
【発明の概要】
【発明が解決しようとする課題】
【０００８】
ところで、上述の照明システム１０１は、照明システム１０１が設置された室内の配色が暗色系で光の反射率の低い場合と、明色系で光の反射率の高い場合とでは、同じ調光制御を行っていても異なる調光制御を行っているように、使用者に感じさせる場合がある。すなわち、照明システム１０１は、照明システム１０１が設置される室内の使用環境などにより、使用者にとって、調光制御による明るさの変化を大きく感じさせたり、明るさの変化を感じさせ難かったりする場合がある。
【０００９】
本発明は上記事由に鑑みて為されたものであり、その目的は、使用環境に応じた調光制御を行うことが可能な照明装置を提供する。
【課題を解決するための手段】
【００１０】
本発明の照明装置は、光源の光出力を制御して上記光源を点灯可能な点灯回路部と、上記光源からの光が照射される被照射面側の照度を検出する照度検出部と、該照度検出部が検出する照度の値と上記照度検出部により検出される照度の目標値との差が小さくなるように上記点灯回路部を制御して上記光源の光出力を自動的に調光制御する調光制御部とを備えた照明装置であって、上記調光制御部は、所定の制御信号に基づいて、上記調光制御における調光速度を変更することを特徴とする。
【００１１】
この照明装置において、上記目標値は、上記光源を所定の光出力に設定する調光レベルにおける上記光源からの光だけの照度の照度基準値であり、上記調光制御部は、上記調光レベルと該調光レベルに対応する上記照度基準値とを記憶する記憶部から上記目標値を取り込むことが好ましい。
【００１２】
この照明装置において、上記調光制御部は、上記調光制御が上記光源の光出力を段階的に変化させるものであり、上記光源の光出力を段階的に変化させる時間間隔を変更させることにより上記調光速度を変更することが好ましい。
【００１３】
この照明装置において、上記調光制御部は、上記調光制御が上記光源の光出力を段階的に変化させるものであり、上記光源の光出力を段階的に変化させる上記光源の光出力値を変更させることにより上記調光速度を変更することが好ましい。
【発明の効果】
【００１４】
本発明の照明装置においては、調光制御部が、所定の制御信号に基づいて、上記調光制御における調光速度を変更することにより、使用環境に応じた調光制御を行うことが可能となる。
【図面の簡単な説明】
【００１５】
【図１】実施形態１の照明装置を示すブロック構成図である。
【図２】実施形態１の照明装置の要部を示すブロック構成図である。
【図３】実施形態１の照明装置を示す正面説明図である。
【図４】実施形態１の照明装置を示す側断面図である。
【図５】実施形態１の照明装置における光源の調光レベルと調光レベルを変化させる時間間隔との関係を示す関係説明図である。
【図６】実施形態２の照明装置における光源の調光レベルと調光レベルを変化させる時間間隔との関係を示す関係説明図である。
【図７】従来の照明システムの電気的構成図である。
【発明を実施するための形態】
【００１６】
（実施形態１）
以下、本実施形態の照明装置１０について、図１ないし図５を用いて説明する。なお、図中において同じ構成要素に対しては、同じ番号を付している。
【００１７】
本実施形態の照明装置１０は、図１に示すように、光源１の光出力を制御して光源１を点灯可能な点灯回路部２と、光源１からの光が照射される被照射面側の照度を検出する照度検出部３とを備えている。また、照明装置１０は、照度検出部３が検出する照度の値と照度検出部３により検出される照度の目標値との差が小さくなるように点灯回路部２を制御して光源１の光出力を自動的に調光制御する調光制御部４を備えている。特に、照明装置１０の調光制御部４は、所定の制御信号Ｓに基づいて、上記調光制御における調光速度を変更する。
【００１８】
本実施形態の照明装置１０は、調光制御部４が、所定の制御信号Ｓに基づいて、上記調光制御における調光速度を変更することにより、照明装置１０の使用環境に応じた調光制御を行うことが可能となる。
【００１９】
より具体的には、本実施形態の照明装置１０は、照明装置１０を制御可能な赤外線式のリモートコントローラ送信器(以下、リモコン送信器ともいう)１１を備えることにより照明システムを構築している。
【００２０】
本実施形態の照明装置１０は、外部の交流電源（たとえば、商用交流電源）と電気的に接続された電源接続部８を介して点灯回路部２へ交流電力が供給される。電源接続部８は、照明装置１０において、点灯回路部２へ電力を供給する電源供給部として機能する。照明装置１０は、点灯回路部２が商用交流電源からの交流電力を光源１の点灯に適した電力に変換して光源１側に供給している。本実施形態の照明装置１０は、光源１として、照明光を照射するＬＥＤユニット１ａを用いている（図２を参照）。ＬＥＤユニット１ａは、複数個のＬＥＤ（light emitting diode）１ａａを直列接続させ、直列接続させたＬＥＤ１ａａの一端部にスイッチング素子Ｑ１を電気的に接続する構成としている。照明装置１０は、点灯回路部２の出力制御部２ｃがスイッチング素子Ｑ１のオンとオフとを制御することで、電力供給回路部２ｂからＬＥＤユニット１ａに供給される電流を制御して、ＬＥＤユニット１ａの光出力を制御することができる。
【００２１】
照明装置１０は、ＬＥＤユニット１ａを所定の調光レベルの光出力で点灯させる調光信号を出力制御部２ｃに出力する調光制御部４を備えている。また、照明装置１０は、照度を検出する照度検出部３と、照度検出部３により検出される照度の目標値を予め記憶するとともに照度検出部３が出力する値を記憶可能な記憶部５とを備えている。調光制御部４は、演算処理部４ａを備えており、出力制御部２ｃと、照度検出部３と、記憶部５とに電気的に接続されている。また、調光制御部４は、時間を計時可能な計時部６と、リモコン送信器１１から赤外線の制御信号Ｓ(図１の一点鎖線の矢印を参照)を受光する赤外線受光素子７ａと電気的に接続されている。
【００２２】
本実施形態の照明装置１０では、調光制御部４と、記憶部５と、計時部６と、赤外線受光素子７ａとで、リモコン送信器１１からの制御信号Ｓを受信して信号処理するリモートコントロール受信部（以下、リモコン受信部ともいう）７を構成している。照明装置１０は、光源１を所定の光出力に設定する調光レベルの情報を含んだ制御信号Ｓを、リモコン送信器１１から赤外線受光素子７ａが受光すると、調光制御部４が、記憶部５から照度検出部３により検出される照度の目標値を取り込むことができるように構成している。なお、本実施形態の照明装置１０では、照度検出部３により検出される照度の上記目標値を、上記調光レベルにおける光源１からの光だけで得られる照度の照度基準値としている。また、記憶部５では、上記調光レベルと該調光レベルに対応する上記照度基準値とを対応付けて記憶している。
【００２３】
すなわち、本実施形態の照明装置１０では、上記目標値は、光源１を所定の光出力に設定する調光レベルにおける光源１からの光だけの照度の照度基準値である。また、調光制御部４は、上記調光レベルと該調光レベルに対応する上記照度基準値とを記憶する記憶部５から上記目標値を取り込む。
【００２４】
本実施形態の照明装置１０は、調光制御部４が照度検出部３の検出する被照射面側の照度を上記照度基準値と一致するように、点灯回路部２の出力制御部２ｃを制御する調光信号を出力する。これにより、本実施形態の照明装置１０は、光源１の光出力を自動的に調光制御して被照射面側の照度を調光レベルに対応した一定の照度にする。調光制御部４は、照度検出部３で検出した照度が上記照度基準値よりも大きく明るければ光源１の光出力を低下させるように自動的に調光制御する。また、調光制御部４は、照度検出部３で検出した照度が上記照度基準値よりも小さく暗ければ光源１の光出力を上昇させるように自動的に調光制御する。すなわち、本実施形態の照明装置１０は、調光制御部４が、自然光の明るさの変化にかかわらず、被照射面側の照度を自動的に調光レベルに対応した一定の照度となるように調光制御を行うことができる。
【００２５】
ところで、照明装置１０は、たとえば、照明装置１０が設置された室内の配色が黒色など暗色系の場合、照明装置１０の使用環境が光の反射率が低い環境となる。また、照明装置１０は、たとえば、照明装置１０が設置された室内の配色が白色など明色系の場合、照明装置１０の使用環境が光の反射率が高い環境となる。照明装置１０では、照明装置１０の使用環境が光の反射率が低い場合と、照明装置１０の使用環境が光の反射率が高い場合とでは、使用者にとって、調光速度が異なって感じられてしまう傾向にある。照明装置１０は、たとえば、照明装置１０の使用環境が光の反射率が低い場合、照度検出部３が検出する被照射面側に新聞などの反射率が高い材質を持ってくると照明装置１０では直ちに光源１の光出力を落としてしまう。そのため、照明装置１０は、使用者にとって、光源１の調光速度が速いように感じさせてしまう場合がある。また、照明装置１０では、たとえば、照明装置１０の使用環境が光の反射率が高い場合、照度検出部３が高い照度を検出してしまうので、使用者にとって、光源１の調光速度が遅いように感じさせてしまう場合がある。
【００２６】
本実施形態の照明装置１０は、使用者（図示していない）がリモコン送信器１１に所定の入力操作を行うことにより、所定の制御信号Ｓが調光制御部４に入力された場合、調光制御部４が、所定の制御信号Ｓに基づいて、調光制御における調光速度を変更する。
【００２７】
本実施形態の照明装置１０では、調光制御部４が調光制御における調光速度を変更することにより、室内の配色による反射率の高低などによらず、照明装置１０の使用環境に応じて調光制御を行うことが可能となる。
【００２８】
本実施形態の照明装置１０は、上述の回路のブロック構成を備えた図３および図４に示す住宅用シーリングライトを構成することができる。
【００２９】
本実施形態の照明装置１０は、外形が円盤状の器具本体２０を備えている。照明装置１０は、平面視において、器具本体２０の外周部となる円環状の枠体部２０ａの一部に照度検出部３を組み込んでいる。照度検出部３は、光源１からの直接光が入射しないように枠体部２０ａ内に配置している。照明装置１０は、器具本体２０の中央部に円形の電源接続部８を備えている。照明装置１０は、光源１として、円形の電源接続部８を囲むように円環状のＬＥＤユニット１ａを設けている。照明装置１０は、電源接続部８とＬＥＤユニット１ａとの間にリモコン受信部７を配置している。照明装置１０は、電源接続部８とＬＥＤユニット１ａとの間で器具本体２０の内部に点灯回路部２を内蔵している。照明装置１０は、器具本体２０の前面側を、透光性を有する樹脂製のカバー部２１で覆っている。ここで、本実施形態の照明装置２０では、器具本体２０を天井材Ｃ側に直接取り付けるための簡易取付式の引掛シーリングや引掛埋込ローゼット（図示していない）などに固定する固定部としての機能を電源接続部８に持たせている（図４を参照）。
【００３０】
なお、照明装置１０は、平面視が円形状のものだけに限られず、矩形状のものであってもよいし、他の形状であってもよい。照明装置１０は、必ずしもカバー部２１を備えている必要もない。また、照明装置１０は、天井材Ｃに固定されるものだけに限られず、天井材Ｃからコード、チェーンやひもなどで吊り下げられるペンダントライトであってもよい。
【００３１】
以下、本実施形態の照明装置１０の各構成について説明する。
【００３２】
光源１は、照明光を照射可能なものである。本実施形態の照明装置１０では、複数個のＬＥＤ１ａａを電気的に接続させたＬＥＤユニット１ａを用いている。照明装置１０は、光源１と器具本体２０側とを一体として固定しているものでもよいし、光源１を器具本体２０から交換可能に取り付けるものでもよい。また、光源１は、ＬＥＤユニット１ａだけに限られず蛍光灯などを用いたものであってもよい。照明装置１０は、光源１として蛍光灯を用いる場合、器具本体２０に、蛍光灯からの光を被照射面側へ反射させる反射板を備えていることが好ましい。
【００３３】
ＬＥＤユニット１ａに用いられるＬＥＤ１ａａは、給電により光を放射することが可能な半導体発光素子である。ＬＥＤ１ａａは、たとえば、発光層に青色光が放射可能なＩｎＧａＮなどの窒化ガリウム系化合物半導体を用いたＬＥＤチップを用いることができる。ＬＥＤ１ａａは、たとえば、青色光を吸収して補色となる黄色光などを放射する蛍光体が含有された封止部材で、ＬＥＤチップを封止するものでもよい。蛍光体は、たとえば、Ｅｕで付活された（Ｓｒ，Ｂａ）２ＳｉＯ４などの希土類でドープされた珪酸塩系の蛍光体、Ｃｅで付活されたＹ３Ａｌ５Ｏ１２やＣｅで付活されたＴｂ３Ａｌ５Ｏ１２などの希土類でドープされたアルミネート系の蛍光体などが挙げられる。封止部材は、蛍光体をシリコーン樹脂、エポキシ樹脂やガラスなどの透光性材料中に含有するものを用いることができる。これにより、ＬＥＤユニット１ａは、たとえば、ＬＥＤ１ａａからの青色光と、封止部材に含有された蛍光体からの黄色光との混色により、白色光などを放射させることができる。なお、ＬＥＤ１ａａは、青色光を放射するものだけに限られず、たとえば、紫外線を放射するものでもよい。この場合、封止部材の蛍光体は、青色光を吸収して黄色光を放射するものの代わりに、紫外線を吸収し、青色光を放射する青色蛍光体、緑色光を放射する緑色蛍光体および赤色光を放射する赤色蛍光体を用いるものでもよい。
【００３４】
さらに、ＬＥＤユニット１ａは、蛍光体を含有する封止部材を用いる代わりに、蛍光体を含有しない透光性材料で、赤色光を発光する赤色ＬＥＤチップ、緑色光を発光する緑色ＬＥＤチップおよび青色光を発光する青色ＬＥＤチップを覆ったものでもよい。なお、ＬＥＤ１ａａは、ＬＥＤチップのベアチップでもよいし、ＬＥＤチップを合成樹脂などのパッケージで被覆させ外部に給電のためのリード端子が設けられた表面実装型発光ダイオードなどを用いてもよい。
【００３５】
複数個のＬＥＤ１ａａは、たとえば、図示していない実装基板の一表面上に実装させており、各ＬＥＤ１ａａを実装基板の一表面側の導電体パターンなどを用いて電気的に直列接続させればよい。複数個のＬＥＤ１ａａは、実装基板の一表面側の導電体パターンを用いて並列接続や直並列接続させてもよい。
【００３６】
また、ＬＥＤユニット１ａは、異なる色調の光を発光する複数種のＬＥＤ１ａａそれぞれが個別に制御されて発光可能なものでもよい。照明装置１０は、異なる色調の光が制御されて発光可能なＬＥＤユニット１ａを備える場合、ＬＥＤユニット１ａからの光の色調を変化させて自然光の変化にかかわらず照度だけでなく色調も自動的に略一定とすることができる。
【００３７】
点灯回路部２は、光源１の光出力を制御して光源１を点灯可能なものである。本実施形態の照明装置１０は、商用交流電源からの交流電力を、電源接続部８を介して点灯回路部２に入力させている。点灯回路部２は、商用交流電源からの交流電力に混入しているノイズを除去するフィルタ回路部２ａと、光源１を点灯させるのに適した電力を供給する電力供給回路部２ｂと、光源１の点灯を制御する出力制御部２ｃとを備えている。フィルタ回路部２ａは、ノイズを遮断するＡＣラインフィルタなどを用いて構成することができる。電力供給回路部２ｂは、フィルタ回路部２ａからの交流電力を所定の直流電力に変換して出力することができる。電力供給回路部２ｂは、図示していないが、たとえば、交流電力を直流電力に整流する整流回路と、交流電力の力率を改善する力率改善回路と、整流回路で整流された直流電力の電圧から光源１たるＬＥＤユニット１ａに適した電圧に変換する電圧変換回路などにより構成することができる。整流回路は、フィルタ回路部２ａから出力された交流電力を直流電力に整流する全波整流器たるダイオードブリッジ回路で構成することができる。整流回路は、交流電力を全波整流するものだけに限られず、半波整流するものでもよい。したがって、整流回路は、ダイオードブリッジ回路だけに限られるものではなく、他の回路構成でもよい。ダイオードブリッジ回路の直流出力端間には、平滑用の電解コンデンサ（図示していない）を接続することが好ましい。商用交流電源の交流電圧は、フィルタ回路部２ａを通って、ダイオードブリッジ回路で整流され、電解コンデンサで平滑化される。電力供給回路部２ｂは、電解コンデンサの両端間で平滑化した電圧を降圧や昇圧させＬＥＤユニット１ａ側に適した電圧で印加できるように、ＬＥＤユニット１ａと電気的に接続している。
【００３８】
出力制御部２ｃは、ＬＥＤユニット１ａを定電流駆動するため、ＬＥＤユニット１ａに流れる電流をフィードバック制御している。出力制御部２ｃは、ＬＥＤユニット１ａと接続させた検出抵抗（図示していない）などを介して、ＬＥＤユニット１ａに流れる電流を検知可能としている。出力制御部２ｃは、たとえば、検出抵抗の検出値が一定となるように、スイッチング素子Ｑ１のオン・オフをＰＷＭ(Pulse Width Modulation)制御することで、定電流制御を行うことができる。スイッチング素子Ｑ１は、たとえば、バイポーラトランジスタやＦＥＴ(Field Effect Transistor)などにより構成することができる。また、出力制御部２ｃは、調光制御部４からの調光信号に応じて、スイッチング素子Ｑ１のオン時間を決定する。出力制御部２ｃは、スイッチング素子Ｑ１のオン時間を調整などすることにより、ＬＥＤユニット１ａに供給する出力電流の出力値を変えさせることができる。すなわち、出力制御部２ｃは、ＰＷＭ信号として、ＬＥＤユニット１ａへ出力するパルス信号のデューティ比を変えることによりＬＥＤユニット１ａの光出力値を変えることができる。
【００３９】
なお、点灯回路部２は、光源１の種類に応じて適宜の回路構成とすればよい。点灯回路部２は、たとえば、光源１として蛍光灯を利用する場合、外部の商用交流電力を直流電力に整流する整流回路や蛍光灯を点灯させる高周波電力を生成するためのスイッチング素子、スイッチング素子を制御する制御回路などを備えた構成とすることができる。
【００４０】
照度検出部３は、光源１からの光が照射される被照射面側の照度を検出することが可能なものである。照度検出部３は、たとえば、光を検出して電圧に変換する受光素子（図示していない）と、受光素子の検出電圧を増幅する増幅器とを備えた照度センサなどにより構成とすることができる。照度センサは、受光素子が被照射面側の検知範囲の照度に応じた検出電圧を出力する。照度センサは、増幅器が受光素子からの検出電圧を増幅する。照度検出部３は、照度センサとして、シリコン材料を用いたフォトＩＣで構成することができる。フォトＩＣは、人間の視感度に近い分光感度をもち、明るさに比例したリニア出力を得ることが可能となる。照度検出部３は、フォトＩＣを備えたものだけに限られず、たとえば、シリコン材料を用いたフォトダイオード、フォトトランジスタやＣｄＳ（硫化カドミニウム）材料を用いたフォトレジスタのような受光素子を用いて構成することもできる。なお、受光素子は、可視光成分のみを検出するために赤外カットフィルタを備えたものを用いることができる。受光素子は、受光素子自体に赤外カットフィルタを備えず、照度検出部３の外部に別途に赤外カットフィルタを設けて構成するものでもよい。
【００４１】
照度検出部３は、必ずしも光源１からの光が照射される被照射面側に設ける必要ない。照度検出部３が被照射面側からの反射光などを検出する場合、被照射面側の照度は、照度検出部３の照度に比例する傾向にある。そのため、照度検出部３は、光源１が備えられる照明器具２０などに設けても、被照射面側からの反射光（光源１から照射された光の反射光および自然光などによる反射光）を利用して被照射面側の照度を検出することが可能となる。照度検出部３は、たとえば、器具本体２０に取り付けた光源１が照明光を照射する床面や机上面など照度検出部３直下の所定の検知範囲（たとえば、約３ｍの範囲）内の被照射面側の照度を検出できればよい。照明装置１０は、照度検出部３の取付け位置を特に限定するものではない。照明装置１０は、たとえば、照明装置１０の器具本体２０から離れた位置に照度検出部３を設けてもよい。したがって、照度検出部３は、器具本体２０から離れた天井材Ｃ側の位置に器具本体２０とは別途に設けてもよい。照明装置１０は、照度検出部３が被照射面側からの反射光を検出するものである場合、照度検出部３が光源１からの直接光を検出しない方が好ましい。
【００４２】
調光制御部４は、照度検出部３が検出する照度の値と照度検出部３により検出される照度の目標値との差が小さくなるように点灯回路部２を制御して、光源１の光出力を自動的に調光制御可能なものである。また、調光制御部４は、所定の制御信号Ｓに基づいて、調光制御における調光速度を変更することが可能なものである。なお、本実施形態の照明装置１０において、調光速度とは、調光制御部４が光源１を調光制御する調光制御前後における光源１の光出力の差の絶対値を、調光制御に要する時間で除したものとしている。また、調光制御部４に入力される所定の制御信号Ｓは、必ずしも使用者の手動の操作によって入力されるものだけに限られず、各種のセンサと同期して制御信号Ｓが入力されるものでもよい。
【００４３】
調光制御部４は、マイクロコンピュータなどにより構成することができる。調光制御部４は、たとえば、予め記憶部５に記憶させているプログラムに基づいて、調光制御部４の演算処理部４ａが各種の演算を行う。これにより、調光制御部４は、照度検出部３の出力する照度の値が、照度基準値である目標値との差が小さくなるように、光源１の光出力を自動的に調光制御するフィードバック制御を出力制御部２ｃに行わせる。調光制御部４は、照度検出部３の照度の値を所定の目標値に近づけるように点灯回路部２をフィードバック制御すれば、被照射面側の照度を目標値に対応した所定の照度とすることが可能となる。調光制御部４は、フィードバック制御として、比例制御（Proportional Control)、積分制御（Integral Control)や微分制御（Derivative Control)を組み合わせて、照度検出部３の照度の値と目標値とのずれを収束させるＰＩＤ制御を行えばよい。調光制御部４は、照度検出部３の照度の値と目標値とが完全に一致するまでフィードバック制御を行うものだけに限られない。照明装置１０は、目標値を含む所定の範囲から外れている場合にのみ、照度検出部３の照度の値を目標範囲内に収めるようにフィードバック制御するものでもよい。
【００４４】
なお、調光制御部４は、所定の検出期間内に照度検出部３が検出する照度の値として、照度検出部３が所定のサンプリング周期で検出する複数の検出値の中から調光制御部４が適宜に選出するものを用いてもよいし、複数の検出値の平均値を利用するものでもよい。調光制御部４は、照度検出部３が検出する照度の値を目標値に一致させるための調光信号を作成して、光源１を調光制御する。
【００４５】
本実施形態の照明装置１０では、たとえば、窓から差し込む自然光などと光源１からの光とが床面や机上面などの被照射面側で反射した反射光のうち、照度検出部３の検知範囲内の反射光を照度検出部３が検出する。照度検出部３は、検知範囲内の反射光を検知して電圧に変換する。調光制御部４は、光源１からの光と自然光との合成された照度による照度検出部３の電圧が目標値に相当する電圧となるように、日中の自然光の変化に応じて点灯回路部２を制御して光源１の光出力をフィードバック制御している。したがって、照明装置１０は、たとえば、自然光が増加するに従い、光源１の光出力を減少させて照度検出部３が検出する被照射面側の照度を略一定とすることができる。同様に、照明装置１０は、自然光が減少するに従い、光源１の光出力を増加させて照度検出部３が検出する被照射面側の照度を略一定とすることができる。なお、照明装置１０は、光源１の光出力を増加させる調光速度と、光源１の光出力を減少させる調光速度とを同じとしてもよいし、異ならせてもよい。照明装置１０は、光源１の光出力を増加させる調光速度を、光源１の光出力を減少させる調光速度よりも速くすることで、目標値よりも暗い状態が長く続かないようにすることが好ましい。いずれにしろ、照明装置１０は、自然光による周辺の明るさ変化に対応して、使用者にとって違和感がなく自然に光源１の光出力を調節できることが好ましい。
【００４６】
すなわち、照明装置１０では、たとえば、調光制御部４が調光信号による調光制御の前後において、光源１の光出力が変化したことを使用者が知覚しない、できるだけ速い調光速度に適宜に設定すればよい。また、照明装置１０は、調光制御部４が調光信号による調光制御の前後において、光源１の光出力が変化したことを使用者が知覚する場合でも、違和感を使用者が感じない程度で、できるだけ速い調光速度に適宜に設定すればよい。これにより照明装置１０は、調光制御による被照射面側の照度の急激な変動を抑制することができ、使用者に不快感や違和感を与えずに被照射面側の照度を自動的に目標値に一致させることが可能となる。また、照明装置１０は、自然光の変化に対する調光制御の遅れを抑制することも可能となる。
【００４７】
調光制御部４は、時間を計時可能な計時部６と接続している。なお、調光制御部４は、計時部６を内蔵していてもよい。調光制御部４は、リモコン送信器１１などから所定の制御信号Ｓが入力されると、調光制御における調光速度を変更する。
【００４８】
調光制御部４は、照明装置１０の使用環境に応じて適宜に調光制御における調光速度を変更することができる。本実施形態の照明装置１０は、室内の配色が黒色など暗色系であって被照射面側に反射率の高い物体が頻繁に置かれるような使用環境下であれば、調光制御における調光速度をより遅くなるように変更すればよい。また、本実施形態の照明装置１０は、室内の配色が白色など明色系の使用環境下であれば調光制御における調光速度をより速くなるように変更すればよい。
【００４９】
記憶部５は、光源１の調光レベルや調光レベルに対応する目標値が記憶可能なものである。記憶部５は、目標値として、光源１を所定の光出力に設定する調光レベルにおける光源１からの光だけの照度の照度基準値を記憶させることができる。記憶部５は、目標値を記憶させておくだけでなく、調光制御部４を駆動させるプログラムを記憶させておいてもよい。記憶部５は、電気的に書換可能な不揮発性の半導体メモリ（たとえば、ＥＥＰＲＯＭなど）を用いて構成してもよいし、メモリカードなどの外部記録媒体を利用してもよい。
【００５０】
計時部６は、時間を計時可能なものである。計時部６および調光制御部４は、主としてマイクロコンピュータなどにより構成することができる。したがって、計時部６は、調光制御部４と別体に設けてもよいし、一体として設けてもよい。
【００５１】
リモコン受信部７は、赤外線を受光して光電変換可能な赤外線受光素子７ａと赤外線受光素子７ａが受光した制御信号Ｓに基づいて各種の制御を行う調光制御部４とを備えている。赤外線受光素子７ａは、赤外線を受光して光電変換できればよく、赤外線だけが受光可能なものでなくてもよい。したがって、赤外線受光素子７ａは、赤外線透過フィルタを備えたシリコン材料からなるフォトダイオードなどを利用することができる。本実施形態の照明装置１０では、リモコン送信器１１からの制御信号Ｓを受信するために、リモコン受信部７を備えて構成しているが、所定の制御信号Ｓが入力できれば必ずしもリモコン受信部７は必要ではない。
【００５２】
リモコン送信器１１は、制御信号Ｓを照明装置１０側に送信するための赤外発光素子１２と、照明装置１０の点灯制御などを行うための操作ボタン部１４と、調光制御のための各種設定などを行う設定ボタン部１５とを備えている。リモコン送信器１１は、操作ボタン部１４や設定ボタン部１５の使用者の操作に基づいて、赤外線発光素子１２から制御信号Ｓを発光させる送信制御部１３を備える。赤外線発光素子１２は、たとえば、赤外線が発光可能なＬＥＤを用いることができる。また、送信制御部１３は、マイクロコンピュータなどにより構成することができる。
【００５３】
操作ボタン部１４は、光源１の全灯、調光、調光レベルを上げる、調光レベルを下げる、消灯などの制御を照明装置１０側に行わせるために用いることができる。操作ボタン部１４は、図示していないが、たとえば、照明装置１０の光源１を定格出力の光出力で点灯させる「全灯ボタン」と、予め設定した使用者の好みの明るさに光源１を調光する「お好みの明るさボタン」とを備えている。また、操作ボタン部１４は、たとえば、使用者の好みの明るさに光源１の光出力を調節する「調光ボタン」と、照明装置１０の光源１を消灯させる「消灯ボタン」とを備えている。さらに、操作ボタン部１４は、照度検知部３が検出する照度の値と照度検出部３により検出される照度の目標値との差が小さくなるように光源１の光出力を自動的に調光制御を行うことを開始させる「自動調光ボタン」を備えている。操作ボタン部１４は、所定の目標値で自動的に調光制御中に目標値を変更するための「明るさ調整ボタン」などを備えた構成とすることができる。また、操作ボタン部１４には、調光制御における調光速度を速くする所定の制御信号Ｓを送信するための「加速ボタン」を備えている。同様に、操作ボタン部１４には、調光制御における調光速度を遅くする所定の制御信号Ｓを送信するための「減速ボタン」を備えている。
【００５４】
設定ボタン部１５は、たとえば、照度検出部３により検出される照度の目標値を設定するための「明るさ設定ボタン」などを備えた構成とすることができる。
【００５５】
リモコン送信器１１は、使用者のボタン押し操作に基づき操作ボタン部１４が操作入力されると、送信制御部１３が赤外線発光素子１２から操作入力に基づく制御信号Ｓを送信する。照明装置１０では、リモコン受信部７の赤外線受光素子７ａがリモコン送信器１１からの制御信号Ｓを受光する。照明装置１０側では、リモコン受信部７が制御信号Ｓを受信すると、調光制御部４が、光源１の全灯、消灯、自動的な調光制御の開始や終了、自動的な調光制御における調光速度の変更などを行う。なお、リモコン送信器１１は、制御信号Ｓを送受信する通信手段として、赤外線を利用するものだけでなく、たとえば、電波を利用するものであってもよい。また、照明装置１０は、リモコン送信器１１を用いて所定の操作入力により、照明装置１０の調光動作を制御する構成だけに限らず、有線で照明装置１０の調光動作を制御するものでもよい。照明装置１０は、有線で照明装置１０の調光制御を設定する場合、たとえば、室内の壁面に設けた壁スイッチを利用すればよい。照明装置１０は、使用者が所定の時間（たとえば、１秒）内に壁スイッチへのオンとオフとの連続的な繰り返し操作を行うことにより、調光速度を変動する所定の制御信号Ｓが調光制御部４に入力されるものでもよい。同様に、照明装置１０は、たとえば、照明装置１０本体に設けたプルスイッチを利用するものでもよい。照明装置１０は、使用者がプルスイッチの引き紐を操作することにより、調光速度を変動する所定の制御信号Ｓが調光制御部４に入力されるものでもよい。
【００５６】
次に、照明装置１０がＬＥＤユニット１ａを調光制御する際の動作の一例について説明する。
【００５７】
まず、基本的な動作の一例として、ＬＥＤユニット１ａの全灯を行う場合について説明する。使用者がリモコン送信器１１の操作ボタン部１４の「全灯ボタン」を押す操作入力を行うと、リモコン送信器１１は、送信制御部１３の制御により赤外線発光素子１２から照明装置１０側へＬＥＤユニット１ａの全灯を行うための制御信号Ｓを送信する。
【００５８】
照明装置１０側では、リモコン受信部７の赤外線受光素子７ａが制御信号Ｓを受信すると、リモコン受信部７は、調光制御部４が制御信号Ｓを判別し、制御信号Ｓで示されたＬＥＤユニット１ａの全灯を行うべく点灯回路部２側に調光信号を出力する。点灯回路部２側では、調光信号を受けた出力制御部２ｃが、ＰＷＭ信号として、たとえば、約６００Ｈｚの周波数のパルス信号をＬＥＤユニット１ａ側に出力する。
【００５９】
照明装置１０には、予め、記憶部５に設定予定の調光レベルに応じたデューティ比（オンデューティ比）のデータテーブルが格納されている。照明装置１０は、調光制御部４が記憶部５に記憶されたデータテーブルを参照し、リモコン受信部７にて受信した制御信号Ｓの調光レベルに応じた調光信号を点灯回路部２側に出力する。照明装置１０は、調光信号に応じて、出力制御部２ｃがデューティ比を１０％〜１００％の範囲でＬＥＤユニット１ａを連続的に調光制御する。照明装置１０は、たとえば、デューティ比が１０％のときに、ＬＥＤユニット１ａを定格出力の１０％で点灯させることができる。照明装置１０は、デューティ比が１００％のときに、ＬＥＤユニット１ａを定格出力の１００％で全灯させる。点灯回路部２は、調光信号がＬＥＤユニット１ａの全灯を指示するものである場合、ＬＥＤユニット１ａの光出力がＬＥＤユニット１ａの定格出力の１００％となるように、出力制御部２ｃがＬＥＤユニット１ａを制御する。これにより、照明装置１０は、ＬＥＤユニット１ａを定格出力の１００％で全灯させることが可能となる。
【００６０】
次に、本実施形態の照明装置１０におけるＬＥＤユニット１ａの調光制御の動作について説明する。
【００６１】
本実施形態の照明装置１０の照度検出部３では、照度検出部３の検出する照度の値が入射光がない（暗状態）のときに０Ｖであり、検出最大値（明状態）のときに５Ｖで、入射光に応じて検出する照度の値が０Ｖ〜５Ｖの範囲になるものを用いている。
【００６２】
まず、照明装置１０では、初期設定として、予め設定した所定の調光レベルに対応する照度基準値を記憶部５に記憶させる。記憶部５には、ＬＥＤユニット１ａの定格出力の４０％（以下、調光レベル４０％ともいう）に対応する照度検出部３の照度基準値として、照度検出部３の電圧値を２Ｖに設定して記憶させている。また、記憶部５には、ＬＥＤユニット１ａの定格出力の６０％（以下、調光レベル６０％ともいう）に対応する照度検出部３の照度基準値として、照度検出部３の電圧値を３Ｖに設定して記憶させている。同様に、記憶部５には、ＬＥＤユニット１ａの定格出力の８０％（以下、調光レベル８０％ともいう）に対応する照度検出部３の照度基準値として、照度検出部３の電圧値を４Ｖに設定して記憶させている。
【００６３】
照明装置１０は、たとえば、出力制御部２ｃが調光レベル６０％でＬＥＤユニット１ａを調光して点灯させる。照明装置１０では、点灯中に「明るさ設定ボタン」への使用者の操作入力が行われると、照度検出部３により被照射面側の照度の検出を行い、照度検出部３が検出した電圧値３Ｖを照度基準値として記憶部５に記憶させることができる。なお、照明装置１０では、調光レベルに対応する照度基準値を複数設定することが可能である。また、照明装置１０は、使用者が照度基準値を記憶部５に記憶させる設定作業を行うものだけでなく、使用者が「明るさ設定ボタン」の操作入力を行うことにより、予め設定された固定の値を照度基準値として利用するものでもよい。さらに、照明装置１０は、予め決められた複数個の所定値から照度基準値を適宜に選択できるようにするものであってもよい。いずれの場合であっても、照明装置１０は、光源１からの光だけの照度の照度基準値を設定して所望の調光レベルに光源１を制御することが可能である。
【００６４】
次に、照明装置１０は、所定の調光レベルに対応する照度基準値を記憶部５に記憶させた後、リモコン送信器１１の「自動調光ボタン」への操作入力を使用者が行う。リモコン送信器１１の操作ボタン部１４における「自動調光ボタン」が押されると、照明装置１０では、まず設定を行った目標値の調光レベルでＬＥＤユニット１ａの点灯を行い、照度検出部３の照度の値が目標値と一致するようＬＥＤユニット１ａの光出力を制御する。なお、照明装置１０は、調光制御部４がＬＥＤユニット１ａを調光制御する調光速度が使用者の目に負担を生じさせないよう、使用者にとってＬＥＤユニット１ａからの光出力の変化が気にならない調光速度に設定すればよい。すなわち、照明装置１０では、ＬＥＤユニット１ａの自動的な調光制御が開始されると、出力制御部２ｃが所望の調光レベルでＬＥＤユニット１ａを点灯させる。照明装置１０では、照度検出部３により検出される照度の値と、調光レベルに対応する照度基準値との差が小さくなるように、調光制御部４が出力制御部２ｃをフィードバック制御してＬＥＤユニット１ａの光出力を自動的に調光制御する。
【００６５】
本実施形態の照明装置１０では、照度検出部３により検出される照度の値と、ＬＥＤユニット１ａの点灯開始時の調光レベルに対応する照度基準値との差が小さく略一致するまで、光源１の光出力を段階的に変化させて自動的な調光制御が行われる。なお、本実施形態の照明装置１０では、たとえば、照度検出部３により検出される照度の値と、照度基準値との差が、±５％の範囲であれば両者の差が小さく略一致するとしている。略一致するとする範囲は、照明装置１０の仕様などに応じて適宜に設定すればよい。本実施形態の照明装置１０では、所定の時間間隔（たとえば、１秒間）で所定割合(たとえば、２．５％)ずつＬＥＤユニット１ａの光出力を変更するように調光制御が行われる。なお、照明装置１０は、照度検出部３により被照射面側の照度を所定の時間間隔で自動的に定期的に検出している。
【００６６】
照明装置１０は、たとえば、調光レベルを光源１の定格出力の６０％とし、調光レベル６０％に対応する照度基準値を３Ｖとして記憶部５に記憶している場合、自動的な調光制御を開始すると、出力制御部２ｃが照度基準値３Ｖを保つように、ＬＥＤユニット１ａを調光する。照明装置１０は、調光制御の最初の時点で、記憶部５に照度基準値を記憶させたときと被照射面側の照度が同じであれば、照度検出部３により検出される照度の値は３Ｖとなる。その後、照明装置１０が設置された室内へ自然光の入射が増加することで明るくなるなど照明装置１０の自然光の変化などにより周囲の明るさが変化した場合、照明装置１０は、照度検出部３により検出される被照射面側の照度の値が大きくなる（たとえば、４Ｖ）。そのため、照明装置１０は、調光制御部４が照度検出部３の照度の値を照度基準値（たとえば、３Ｖ）に略一致させるように出力制御部２ｃを制御してＬＥＤユニット１ａの光出力を小さくする（たとえば、調光レベル４０％）。また、照明装置１０が設置された室内が外部からの自然光の入射が減少することで暗くなった場合、照明装置１０は、照度検出部３により検出される被照射面側の照度の値が小さくなる（たとえば、２Ｖ）。そのため、照明装置１０は、照度検出部３の照度が照度基準値（たとえば、３Ｖ）に略一致させるように出力制御部２ｃを制御してＬＥＤユニット１ａの光出力を大きくする（たとえば、調光レベル８０％）。これにより、照明装置１０は、照度検出部３が検出する照度の値と照度検出部３により検出される照度の目標値との差が小さくなるように、調光制御部４が点灯回路部２を制御してＬＥＤユニット１ａの光出力を自動的に調光制御することができる。
【００６７】
次に、照明装置１０が自動的な調光制御中に、調光速度を変更する動作について、図５に基づき説明する。
【００６８】
まず、照明装置１０は、照度検出部３が検出する照度の値と照度検出部３により検出される照度の目標値との差が小さくなるようにＬＥＤユニット１ａの自動的な調光制御を行っている。具体的には、照明装置１０は、自然光の減少に応じて、光源１たるＬＥＤユニット１ａの光出力を調光レベル１２．５％から調光レベル２５％まで１秒ごとに調光レベルを２．５％ずつ上昇させている。照明装置１０は、ＬＥＤユニット１ａの光出力が調光レベル２５％のときに、照度検出部３が検出する照度の値と、照度検出部３により検出される照度の目標値との差が小さく略一致しており、ＬＥＤユニット１ａの光出力を調光レベル２５％で維持させている。
【００６９】
この状況下でリモコン送信器１１の「加速ボタン」を使用者が押すことで操作ボタン部１４が操作入力された場合、リモコン送信器１１は、赤外線発光素子１２から調光速度を速くする制御信号Ｓを送信するように送信制御部１３が赤外線発光素子１２を制御する。
【００７０】
照明装置１０は、リモコン受信部７を構成する赤外線受光素子７ａが制御信号Ｓを受信すると、調光制御部４が調光速度を速くする制御信号Ｓか否かを判別する。照明装置１０では、赤外線が調光速度を速くする制御信号Ｓであると判別した場合、計時部６におけるｔ１時から調光速度を速くさせる調光制御を開始する（図５における左向きの片矢印を参照）。ここで、照明装置１０は、ｔ１時から２秒後に照度検出部３への自然光の入射が減った場合、ＬＥＤユニット１ａの光出力を調光レベル２５％から調光レベル３７．５％まで０．５秒ごとに調光レベルが２．５％ずつ上昇させるように調光速度を速くする。照明装置１０は、ｔ１時から４秒後において、照度検出部３が検出する照度の値と照度検出部３により検出される照度の目標値との差が小さくなるとＬＥＤユニット１ａの光出力を調光レベル３７．５％で維持する。また、照明装置１０は、ｔ１時から６．５秒後に照度検出部３への自然光の入射が更に減った場合、ＬＥＤユニット１ａの光出力を調光レベル３７．５％から調光レベル５０％まで０．５秒ごとに調光レベルが２．５％ずつ上昇する。
【００７１】
言い換えれば、照明装置１０は、所定の制御信号Ｓが調光制御部４に入力されると、自動的な調光制御を行う時間間隔を初期の時間間隔（たとえば、１秒）から５割分減らした時間間隔（たとえば、０．５秒）に短くして自動的な調光制御の調光速度を速くしている。
【００７２】
なお、図示していないが、この状況下でリモコン送信器１１の「加速ボタン」を使用者が更に押すことで操作ボタン部１４が操作入力された場合、リモコン送信器１１は、赤外線発光素子１２から調光速度を更に速くする制御信号Ｓを送信するように送信制御部１３が赤外線発光素子１２を制御する。
【００７３】
照明装置１０は、リモコン受信部７を構成する赤外線受光素子７ａが制御信号Ｓを受信すると、調光制御部４が調光速度を速くする制御信号Ｓか否かを判別する。照明装置１０では、赤外線が調光速度を速くする制御信号Ｓであると判別した場合、調光速度を更に速くさせる調光制御を開始する。照明装置１０は、所定の制御信号Ｓが調光制御部４に入力されると、自動的な調光制御を行う時間間隔を時間間隔（たとえば、０．５秒）から初期の時間間隔の１割分を減らした時間間隔（たとえば、０．４秒）に短くして自動的な調光制御の調光速度を更に速くする。
【００７４】
すなわち、本実施形態の照明装置１０は、調光制御部４が、調光制御が光源１の光出力を段階的に変化させるものであり、光源１の光出力を段階的に変化させる時間間隔を短くさせることにより調光速度を速くしている。なお、照明装置１０は、自動的な調光制御の時間間隔を短くすること以外の動作を、初期の自動的な調光制御の動作と同様に行っている。
【００７５】
同様に、リモコン送信器１１の「減速ボタン」を使用者が押すことで操作ボタン部１４が操作入力された場合、リモコン送信器１１は、赤外線発光素子１２から調光速度を遅くする制御信号Ｓを送信するように送信制御部１３が赤外線発光素子１２を制御する。
【００７６】
照明装置１０は、リモコン受信部７を構成する赤外線受光素子７ａが制御信号Ｓを受信すると、調光制御部４が調光速度を遅くする制御信号Ｓか否かを判別する。照明装置１０では、赤外線が調光速度を遅くする制御信号Ｓであると判別した場合、調光速度を遅くさせる調光制御を開始する。照明装置１０は、所定の制御信号Ｓが調光制御部４に入力されると、自動的な調光制御を行う時間間隔を初期の時間間隔（たとえば、１秒）から初期の時間間隔の５割分を増やした時間間隔（たとえば、１．５秒）に長くして自動的な調光制御の調光速度を遅くする。
【００７７】
この状況下でリモコン送信器１１の「減速ボタン」を使用者が更に押すことで操作ボタン部１４が操作入力された場合、リモコン送信器１１は、赤外線発光素子１２から調光速度を更に遅くする制御信号Ｓを送信するように送信制御部１３が赤外線発光素子１２を制御する。
【００７８】
照明装置１０は、リモコン受信部７を構成する赤外線受光素子７ａが制御信号Ｓを受信すると、調光制御部４が調光速度を遅くする制御信号Ｓか否かを判別する。照明装置１０では、赤外線が調光速度を遅くする制御信号Ｓであると判別した場合、調光速度を更に遅くさせる調光制御を開始する。照明装置１０は、所定の制御信号Ｓが調光制御部４に入力されると、自動的な調光制御を行う時間間隔を時間間隔（たとえば、１．５秒）から初期の時間間隔の１割分を増やした時間間隔（たとえば、１．６秒）に長くして自動的な調光制御の調光速度を更に遅くする。
【００７９】
すなわち、本実施形態の照明装置１０は、調光制御部４が、調光制御が光源１の光出力を段階的に変化させるものであり、光源１の光出力を段階的に変化させる時間間隔を長くさせることにより調光速度を遅くしている。なお、照明装置１０は、調光速度を変更するための時間間隔は所望に応じて適宜に設定すればよく、制御信号Ｓに応じて徐々に時間間隔が短く、あるいは長くなるものでもよいし、時間間隔が一定の割合で短く、あるいは長くなるものでもよい。
【００８０】
これにより、本実施形態の照明装置１０は、調光制御部４が、所定の制御信号Ｓに基づいて、上記調光制御における調光速度を変更することにより、照明装置１０の使用環境に応じた調光制御を適宜に行うことが可能となる。
【００８１】
（実施形態２）
本実施形態の照明装置１０は、実施形態１の照明装置１０が光源１の光出力を段階的に変化させる時間間隔を図５のごとく変化させるのに対し、段階的に変化させる光源１の光出力値を調光レベルの変化量として図６のように変化させる点が相違する。なお、実施形態１と同様の構成要素には、同一の符号を付して説明を適宜省略する。
【００８２】
本実施形態の照明装置１０は、光源１の光出力を制御して光源１を点灯可能な点灯回路部２と、光源１からの光が照射される被照射面側の照度を検出する照度検出部３とを備えている。また、照明装置１０は、照度検出部３が検出する照度の値と照度検出部３により検出される照度の目標値との差が小さくなるように点灯回路部２を制御して光源１の光出力を自動的に調光制御する調光制御部４を備えている。特に、照明装置１０の調光制御部４は、所定の制御信号に基づいて、調光制御における調光速度を変更する。
【００８３】
特に、本実施形態の照明装置１０の調光制御部４は、調光制御が光源１の光出力を段階的に変化させるものであり、光源１の光出力を段階的に変化させる光源１の光出力値を変更させることにより調光速度を変更している。
【００８４】
本実施形態の照明装置１０は、記憶部５に収納している調光制御部４の動作を制御するプログラムを実施形態１の照明装置１０と変更している。
【００８５】
より具体的には、本実施形態の照明装置１０が自動的な調光制御中に、調光速度を変更する動作について、図６に基づき説明する。
【００８６】
まず、照明装置１０は、照度検出部３が検出する照度の値と照度検出部３により検出される照度の目標値との差が小さくなるようにＬＥＤユニット１ａの自動的な調光制御を行っている。具体的には、照明装置１０は、自然光の減少に応じて、光源１たるＬＥＤユニット１ａの光出力を調光レベル１２．５％から調光レベル２５％まで１秒ごとに調光レベルを２．５％ずつ上昇させている。照明装置１０は、ＬＥＤユニット１ａの光出力が調光レベル２５％のときに、照度検出部３が検出する照度の値と、照度検出部３により検出される照度の目標値との差が小さく略一致しており、ＬＥＤユニット１ａの光出力を調光レベル２５％で維持させている。
【００８７】
この状況下でリモコン送信器１１の「加速ボタン」を使用者が押すことで操作ボタン部１４が操作入力された場合、リモコン送信器１１は、赤外線発光素子１２から調光速度を速くする制御信号Ｓを送信するように送信制御部１３が赤外線発光素子１２を制御する。
【００８８】
照明装置１０は、リモコン受信部７を構成する赤外線受光素子７ａが制御信号Ｓを受信すると、調光制御部４が調光速度を速くする制御信号Ｓか否かを判別する。照明装置１０では、赤外線が調光速度を速くする制御信号Ｓであると判別した場合、計時部６におけるｔ２時から調光速度を速くさせる調光制御を開始する（図６中の左向きの片矢印を参照）。具体的には、照明装置１０は、ｔ２時から２秒後に照度検出部３への自然光の入射が減った場合、ＬＥＤユニット１ａの光出力を調光レベル２５％から調光レベル５０％まで１秒ごとに調光レベルを５％ずつ上昇させる。
【００８９】
言い換えれば、照明装置１０は、自動的な調光制御を行う時間間隔を通常の時間間隔（たとえば、１秒）のまま、光源１からの光出力値を大きく（たとえば、２倍の５％）して自動的な調光制御を継続している。照明装置１０は、自動的な調光制御中における光源１の光出力値を大きくすること以外の動作を初期の自動的な調光制御の動作と同様に行っている。
【００９０】
なお、図示していないが、この状況下でリモコン送信器１１の「加速ボタン」を使用者が更に押すことで操作ボタン部１４が操作入力された場合、リモコン送信器１１は、赤外線発光素子１２から調光速度を更に速くする制御信号Ｓを送信するように送信制御部１３が赤外線発光素子１２を制御する。
【００９１】
照明装置１０は、リモコン受信部７を構成する赤外線受光素子７ａが制御信号Ｓを受信すると、調光制御部４が調光速度を速くする制御信号Ｓか否かを判別する。照明装置１０では、赤外線が調光速度を速くする制御信号Ｓであると判別した場合、調光速度を更に速くさせる調光制御を開始する。照明装置１０は、所定の制御信号Ｓが調光制御部４に入力されると、自動的な調光制御を行う光出力値を大きくさせる調光レベルの増加分（たとえば、５％）を更に大きな調光レベルの増加分（たとえば、６％）にして自動的な調光制御の調光速度を更に速くする。
【００９２】
すなわち、本実施形態の照明装置１０は、調光制御部４が、調光制御が光源１の光出力を段階的に変化させるものであり、光源１の光出力を段階的に変化させる光源１の光出力値を大きくさせることにより調光速度を速くしている。
【００９３】
同様に、リモコン送信器１１の「減速ボタン」を使用者が押すことで操作ボタン部１４が操作入力された場合、リモコン送信器１１は、赤外線発光素子１２から調光速度を遅くする制御信号Ｓを送信するように送信制御部１３が赤外線発光素子１２を制御する。
【００９４】
照明装置１０は、リモコン受信部７を構成する赤外線受光素子７ａが制御信号Ｓを受信すると、調光制御部４が調光速度を遅くする制御信号Ｓか否かを判別する。照明装置１０では、赤外線が調光速度を遅くする制御信号Ｓであると判別した場合、調光速度を遅くさせる調光制御を開始する。照明装置１０は、所定の制御信号Ｓが調光制御部４に入力されると、自動的な調光制御を行う光源１の光出力値を初期の調光レベルの増加分（たとえば、２．５）から減らした調光レベル（たとえば、４％）に小さくして自動的な調光制御の調光速度を遅くする。
【００９５】
この状況下でリモコン送信器１１の「減速ボタン」を使用者が更に押すことで操作ボタン部１４が操作入力された場合、リモコン送信器１１は、赤外線発光素子１２から調光速度を更に遅くする制御信号Ｓを送信するように送信制御部１３が赤外線発光素子１２を制御する。
【００９６】
照明装置１０は、リモコン受信部７を構成する赤外線受光素子７ａが制御信号Ｓを受信すると、調光制御部４が調光速度を遅くする制御信号Ｓか否かを判別する。照明装置１０では、赤外線が調光速度を遅くする制御信号Ｓであると判別した場合、調光速度を更に遅くさせる調光制御を開始する。照明装置１０は、所定の制御信号Ｓが調光制御部４に入力されると、自動的な調光制御を行う光出力値を小さくさせる調光レベルの減少分（たとえば、４％）を更に大きくして自動的な調光制御の調光速度を更に遅くする。
【００９７】
すなわち、本実施形態の照明装置１０は、調光制御部４が、調光制御が光源１の光出力を段階的に変化させるものであり、光源１の光出力を段階的に変化させる光源１の光出力値を小さくさせることにより調光速度を遅くしている。
【００９８】
これにより、本実施形態の照明装置１０は、調光制御部４が、所定の制御信号Ｓに基づいて、上記調光制御における調光速度を変更することにより、照明装置１０の使用環境に応じた調光制御を適宜に行うことが可能となる。
【００９９】
なお、本実施形態の照明装置１０は、自動調光動作の光源１からの光出力値を変更して光源１を調光制御する調光速度を変更することに加え、実施形態１の調光制御部４が光源１の調光レベルを照度基準値と一致するまで段階的に変化させる時間間隔を変更することを行うものでもよい。
【符号の説明】
【０１００】
Ｓ  制御信号
１  光源
２  点灯回路部
３  照度検出部
４  調光制御部
５  記憶部
１０  照明装置
【図１】
2013232304.tif 000003
【図２】
2013232304.tif 000004
【図３】
2013232304.tif 000005
【図４】
2013232304.tif 000006
【図５】
2013232304.tif 000007
【図６】
2013232304.tif 000008
【図７】
2013232304.tif 000009